(57)【要約】      （修正有）【課題】重ね畳み戸と枠体とからなる戸袋のない引き戸において上下スライドによって単型万字模様型細長板戸を伸縮させる上下摺動式重ね畳み引き戸を提供する。【解決手段】板枠の囲いの中にある重ね畳み戸１において、重ね畳み戸１は、上下に摺動できる各連続的板戸部の長手方向の両端に逆方向に繋ぎ板部を設けた単型万字模様型細長板戸部４における各繋ぎ板部を隣合わせで組み合わせできるようになっている連結畳み戸単体４〜２０体を連結したものであり、前記上下に摺動できる重ね畳み戸１の両縦枠１４にレール１３を設けて、レール１３に溝部を４〜１４箇所と凸部を３〜１３箇所で交互に配置して、レール１３の溝部に沿って上下に摺動できるように配置にして、重ね畳み戸１を板枠の囲いの上部にスライドして押し上げて開放できるようになっている。【選択図】図１
0003219864.tif 000002
【実用新案登録請求の範囲】
【請求項１】
板枠の囲いの中にある重ね畳み戸において、前記重ね畳み戸は、上下に摺動できる各連続的板戸部の長手方向の両端に逆方向に繋ぎ板部を設けた単型万字模様型細長板戸部における各繋板部を隣合わせで組み合わせできるようになっている連結畳み戸単体４〜２０体を連結したものであり、前記上下に摺動できる重ね畳み戸の両縦枠にレール部を設けて、前記レール部に溝部を４〜１４箇所と凸部を３〜１３箇所で交互に配置して、レール部の溝部に沿って上下に摺動できるように配置にして、重ね畳み戸を板枠の囲いの上部にスライドして押し上げて開放できるようになっていることを特徴とする上下摺動式重ね畳み戸。
【請求項２】
前記重ね畳み戸は、幅１００〜１６０ｍｍの縦枠の囲いの両側板枠に嵌着されて、縦枠の囲いの縦高さ７００〜２０００ｍｍ、横幅５５０〜１８００ｍｍであって、重ね畳み戸の一単位である単型万字模様型細長板戸部は、厚さ６〜１０ｍｍ、幅８０〜３００ｍｍ、長さ５５０〜１８００ｍｍの細長板材で、長手方向の両端に逆方向に縦横６〜１０ｍｍの角材を固着した繋ぎ板部を設けて、前記単型万字模様型細長板戸部の連結重ね畳み戸単体４〜２０体を各繋ぎ板部で連携して上下に伸縮スライドできるようにしている連結した重ね畳み戸を形成して、前記単型万字模様型細長板戸部の先端部で４〜２０体を連携した重ね畳み戸になって、最低部の戸袋板に吊り上げ部を取り付け、吊り上げの最上部にはストッパーで停止できることを特徴とする請求項１に記載の上下摺動式重ね畳み戸。
【請求項３】
幅１００〜１６０ｍｍの両縦枠にレール部は、幅６〜１０ｍｍ、高さ１０〜２０ｍｍの凸部と幅６〜１０ｍｍ、深さ１０〜２０ｍｍの溝部を交互に併設して溝部を４〜１４箇所、凸部を３〜１３箇所になって、単型万字模様型細長板戸部で溝部に篏合させている単型万字模様型細長板戸部と凸部で篏合する各繋ぎ板部の接合端部となり、幅１００〜１６０ｍｍの両縦枠にレール部では、両端に凸部にして交互に幅６〜１０ｍｍの凸部と幅６〜１０ｍｍの溝部との併設になっていることを特徴とする請求項１、又は請求項２に記載の上下摺動式重ね畳み戸。
【請求項４】
幅１００〜１４０ｍｍの両縦枠にレール部を設けて、縦高さ７００〜２０００ｍｍ、横幅５５０〜１８００ｍｍである重ね畳み戸は、周囲に縦枠を設けて、開口部の縦枠に嵌着させて、上下に縦スライドさせることによって幅６００〜１８００ｍｍの開口部における上部の１／３〜１／６に重ね畳み戸を収納させることを特徴とする請求項１〜請求項３のいずれかに記載の上下摺動式重ね畳み戸。
【請求項５】
厚さ６〜１０ｍｍ、高さ８０〜３００ｍｍ、幅５５０〜１８００ｍｍの板材である単型万字模様型細長板戸部の板材は、無垢板、又は突板を張った合板であって、表面に木目模様の装飾性を施して、反り、ひび割れの防止の処理を施したものを使用して、長手方向の両端に縦横６〜１０ｍｍの角材を取り付けた繋ぎ板部を固着して、単型万字模様型細長板戸部間の密着性を維持しながら上下縦方向スライドを進めて、両端の繋ぎ板部によって各板戸の板材の安定化を維持していることを特徴とする請求項１〜請求項４のいずれかに記載の上下摺動式重ね畳み戸。
【考案の詳細な説明】
【技術分野】
【０００１】本考案は、重ね畳み戸と鴨居レールと敷居レールとからなる戸袋の小さい引き戸において横向きにスライドによって単一万字模様型細板戸を伸縮させる横型重ね畳み引き戸に関するものである。
【背景技術】
【０００２】戸袋の施工などを必要とすることなく、大きな荷物の出し入れも簡単になしうる開口部において、開口部の内側に複数枚の引き戸がスライド移動可能に配置され、引き戸が連続的に配されて開口部を遮閉する遮蔽状態と、引き戸相互が重なる位置にスライドすることにより開口部の一部が開放開口部として開口する開口状態とに変化可能に構成される開口部の構造において、前記開口状態において重なる双方の引き戸は、相互に重なるとともに前記開放開口部に連続する領域に配され、かつ開閉可能な補助開口部が形成される構造を提供する（特許文献１参照）。【０００３】直線状あるいはＬ字状に連結された複数枚の間仕切りパネルの端部あるいはコーナ−部に取付けられ、引き戸状に引き延ばされたり互いに重ね合わされたりして、出入口を開閉可能としたスライドパネルの閉鎖状態を維持するスライドパネルの仮施錠装置で、間仕切りパネルをスライドパネルに転用し、しかも、スライドパネルに施錠機能を簡単に付加することが出来るスライドパネルの仮施錠装置を得ることを目的とすることが提案されている（特許文献２参照）。【０００４】前側の折れ戸を開くときに前側の折れ戸の扉の端部が後側の折れ戸の扉にぶつかって前側の折れ戸が十分に開かなくなる現象が生じることを防止するために、一対の扉を折り畳み可能に連結してなる折れ戸の複数個と、上側レールと下側レールとからなるレール体の複数個と、折れ戸の幅方向両端側の上部をそれぞれ上側レールに接続するスライド部材と、前れ戸の幅方向両端側の下部をそれぞれ下側レールに接続する案内ランナーとを備えることが可能な引き戸兼用折れ戸を提供する（特許文献３参照）。【０００５】小型の戸を簡単な機構で引き重ねし広く開いた間口が得られるような引き戸を提供して、併せてくぐり戸をつけることにより緊急時に使用できるようにした引き戸として、各々別個の上部鴨居の溝と下部敷居のレールの間を開閉する二枚の戸において、後方戸の表側中頃に水平に設けた溝と、該溝をスライドする後方戸と重なる前方戸の枠の裏側で該溝と同じ高さに設けたボスを有し、かつ前記上部鴨居の後方戸用溝の中間にドア当りを設け、さらに前方戸の下半分にくぐり戸を設けた引き戸が提案されている（特許文献４参照）。【０００６】通常は引き戸として使用しながら、必要に応じて開口部の全体を開口する。収納用レールを支持具で壁に取付けるに当り、取付け位置を上下方向及び前後方向に簡単に調整するために、上下レールに対して主戸体と副戸体とを配置し、主戸体を引き戸として開口部の半分を開閉自在とする。主戸体を副戸体に重ねた状態で収納用レールに沿って移動して開口部を全開する。収納用レールを壁に支持具により取付ける。支持具を壁に対して固定する受け部材と、受け部材に対して上下位置調整自在に取付けた支持具本体とで構成して、支持具本体の係止片を収納用レールに長手方向に沿って形成した係止溝部にスライド自在に係止すると共に固定手段により任意のスライド位置で固定自在とする方法が提案されている（特許文献５参照）。【０００７】単一引き戸において戸袋が必要であり、大型の部屋でないと取り付けることが困難でした。１〜２畳の様な小型部屋では引き戸を設けることは難しい状況であった。一方薄板を重ねたブラインド方式で縦側に連ねて開閉する重ね畳みの引き戸については全くなく、種々の部屋の引き戸に有効であるが、まだ存在していない。
【先行技術文献】
【特許文献】
【０００８】
【特許文献１】特開２００８−８０５１号公報
【特許文献２】特開２００８−１２７０７６号公報
【特許文献３】特許第２９３８０６９号公報
【特許文献４】特開平８−２４００７２号公報
【特許文献５】特開平９−２２８７２９号公報
【考案の概要】
【考案が解決しようとする課題】
【０００９】このように、小さい部屋の開閉口に使用する戸には制限があり、開き戸、引き戸では場所を要している。上記のごとき問題がある。本考案が解決しようとする課題はこれら問題点であり、小部屋で場所がない部屋では扉に工夫を要する薄板をブラインド方式で折り畳みの扉ができれば解決できるものである。また和風様式の状態で、扉の装飾ももたらせることである。それを少しでも和らげて、情緒性に富む木製の引き戸であって、構造が簡単で製作費が安くなると共に、主な構成部品は全て木製としたブラインド式重ね畳み引き戸を提供する。【００１０】単一引き戸において戸袋が必要であり、大型の部屋でないと取り付けることが困難でした。１〜２畳の様な小型部屋では引き戸を設けることは難しい状況であった。一方薄板を重ねたブラインド方式で上下に開閉する重ね畳みの引き戸については全くなく、種々の部屋の引き戸に有効であるが、まだ存在していない。これらを解決することを目的にする。
【課題を解決する為の手段】
【００１１】板枠の囲いの中にある重ね畳み戸において、前記重ね畳み戸は、上下に摺動できる各連続的板戸部の長手方向の両端に逆方向に繋ぎ板部を設けた単型万字模様型細長板戸部における各繋板部を隣合わせで組み合わせできるようになっている連結畳み戸単体４〜２０体を連結したものであり、前記上下に摺動できる重ね畳み戸の両縦枠にレール部を設けて、前記レール部に溝部を４〜１４箇所と凸部を３〜１３箇所で交互に配置して、レール部の溝部に沿って上下に摺動できるように配置にして、重ね畳み戸を板枠の囲いの上部にスライドして押し上げて開放できるようになっている上下摺動式重ね畳み戸である。
【００１２】前記重ね畳み戸は、幅１００〜１６０ｍｍの縦枠の囲いの両側板枠に嵌着されて、縦枠の囲いの縦高さ７００〜２０００ｍｍ、横幅５５０〜１８００ｍｍであって、重ね畳み戸の一単位である単型万字模様型細長板戸部は、厚さ６〜１０ｍｍ、幅８０〜３００ｍｍ、長さ５５０〜１８００ｍｍの細長板材で、長手方向の両端に逆方向に縦横６〜１０ｍｍの角材を固着した繋ぎ板部を設けて、前記単型万字模様型細長板戸部の連結重ね畳み戸単体４〜２０体を各繋ぎ板部で連携して上下に伸縮スライドできるようにしている連結した重ね畳み戸を形成して、前記単型万字模様型細長板戸部の先端部で４〜２０体を連携した重ね畳み戸になって、最低部の戸袋板に吊り上げ部を取り付け、吊り上げの最上部にはストッパーで停止できる。
【００１３】幅１００〜１６０ｍｍの両縦枠にレール部は、幅６〜１０ｍｍ、高さ１０〜２０ｍｍの凸部と幅６〜１０ｍｍ、深さ１０〜２０ｍｍの溝部を交互に併設して溝部を４〜１４箇所、凸部を３〜１３箇所になって、単型万字模様型細長板戸部で溝部に篏合させている単型万字模様型細長板戸部と凸部で篏合する各繋ぎ板部の接合端部となり、幅１００〜１６０ｍｍの両縦枠にレール部では、両端に凸部にして交互に幅６〜１０ｍｍの凸部と幅６〜１０ｍｍの溝部との併設になっている。
【００１４】幅１００〜１４０ｍｍの両縦枠にレール部を設けて、縦高さ７００〜２０００ｍｍ、横幅５５０〜１８００ｍｍである重ね畳み戸は、周囲に縦枠を設けて、開口部の縦枠に嵌着させて、上下に縦スライドさせることによって幅６００〜１８００ｍｍの開口部における上部の１／３〜１／６に重ね畳み戸を収納させる。
【００１５】厚さ６〜１０ｍｍ、高さ８０〜３００ｍｍ、幅５５０〜１８００ｍｍの板材である単型万字模様型細長板戸部の板材は、無垢板、又は突板を張った合板であって、表面に木目模様の装飾性を施して、反り、ひび割れの防止の処理を施したものを使用して、長手方向の両端に縦横６〜１０ｍｍの角材を取り付けた繋ぎ板部を固着して、単型万字模様型細長板戸部間の密着性を維持しながら上下縦方向スライドを進めて、両端の繋ぎ板部によって各板戸の板材の安定化を維持している。
【考案の効果】
【００１６】単一引き戸において戸袋が必要であり、大型の部屋でないと取り付けることが困難でした。１〜２畳の様な小型部屋では引き戸を設けることは難しい状況であった。一方薄板を重ね畳む引き戸での立て向きに上下摺動である縦スライド方式で連ねて開閉するブラインド式である上下摺動式重ね畳みの引き戸については全くなく、種々の狭い部屋で、しかも個人回りした戸袋のいらない引き戸に非常に有効なものであった。
【００１７】小部屋で場所がない部屋では扉に工夫を要する薄板を上下摺動方式で、折り畳みで、重ね畳みできる扉ができればコンパクトな開閉部は解決できるものである。また和風様式の状態で、扉の装飾ももたらせることもある。それを少しでも和らげて、情緒性に富む木製の引き戸であって、構造が簡単で製作費が安くなると共に、主な構成部品は全て木製とした上下摺動式重ね畳み引き戸を提供する。
【図面の簡単な説明】
【００１８】
【図１】上下摺動式重ね畳み引き戸の全体の斜視図。Ａ：窓開口用  Ｂ：出入口用
【図２】上下摺動式重ね畳み引き戸の単型万字模様型短板戸部と繋ぎ部と連結した連結畳み戸体と鴨居部と敷居部と側面部の組み立て構造図。Ａ：窓開口用  Ｂ：出入口用
【図３】上下摺動式重ね畳み引き戸における単型万字模様型短板戸部と繋ぎ部と１０連結した連結畳み戸体の開閉時の状態の図。ＡＷ：開いた時  ＢＷ：閉めた時  ＣＷ：開閉途中  ＡＤ：開いた時  ＢＤ：閉めた時  ＣＤ：開閉途中
【図４】上下摺動式重ね畳み引き戸パネル体を取り付ける鴨居部と敷居部との中間部の断面図と縦枠レール構造図。Ａ：窓開口断面  Ｂ：出入口断面  Ｃ：縦枠レール構造
【図５】上下摺動式重ね畳み引き戸における縦枠レールに嵌められた時の連結畳み戸体の状態の詳細図。ＡＷ：窓開口用閉めた時  ＢＷ：窓開口用開いた時  ＣＤ：出入口用閉めた時  ＤＤ：出入口用開いた時
【図６】上下摺動式重ね畳み引き戸の窓、出入り口を部屋に取り付けられた状態の斜視図。
【考案を実施するための形態】
【００１９】横型重ね畳み引き戸の単型万字模様型短板戸部と三組連結した連結畳み戸体との図、重ね畳み引き戸における単一万字模様型細板戸部と三組連結した連結畳み戸体構造。重ね畳み引き戸を取り付ける敷居部と敷居部の図を示すように実施例で説明する。
【実施例１】
【００２０】図１Ａに示すように、板枠の囲いの中にある重ね畳み戸において、前記重ね畳み戸は、各連続的板戸部の長手方向の両端に逆方向に繋ぎ板部を設けた単型万字模様型細長板戸部における各繋板部を隣合わせで縦方法に組み合わせできるようになっている連結畳み戸単体４体を連結したものであり、図２Ａに示すように前記重ね畳み戸の両縦枠にレール部を設けて、レール部に溝部を４箇所と凸部を３箇所で交互に配置して、レール部の溝部に沿って上下に摺動できるように配置にして、重ね畳み戸を板枠の囲いの上部に吊り上げ具によってスライドして押し上げて開放できるようになっているブラインド式上下摺動式重ね畳み戸の窓であった。【００２１】図２Ａに示すように、前記重ね畳み戸は、幅１４０ｍｍの縦枠板と鴨居板と敷居板の囲いのレール付き両側板枠に嵌着されて、縦枠の囲いの縦高さ６００ｍｍ、横幅９００ｍｍであって、重ね畳み戸の一単位である単型万字模様型細長板戸部は、厚さ６ｍｍ、幅１５０ｍｍ、長さ９００ｍｍの細長板材で、長手方向の両端に逆方向に縦横６ｍｍの角材を固着した繋ぎ板部を設けて、前記単型万字模様型細長板戸部の連結畳み戸単体４体を各繋ぎ板部で連結して上下に伸縮スライドできるようにしている連結重ね畳み戸体を形成して、前記連結重ね畳み戸体の先端部で４体を接着した連結体にした窓口開口部にした。【００２２】図４Ｃにしめすように、幅１４０ｍｍの両縦枠にレール部は、幅６ｍｍ、高さ１０ｍｍの凸部と幅６ｍｍ、深さ１０ｍｍの溝部を交互に併設して溝部を４箇所、凸部を３箇所になって、単型万字模様型細長板戸部で溝部に篏合させている単型万字模様型細長板戸部と凸部で篏合する各繋ぎ板部の接合端部となり、幅１４０ｍｍの両縦枠にレール部では、両端に凸部にして交互に幅６ｍｍの凸部と幅６ｍｍの溝部との併設にした縦枠体にした。これに図５Ａで示すように連結重ね畳み戸体を嵌め込んだ。【００２３】図３のＡＷとＢＷで示すように、幅１４０ｍｍの両縦枠にレール部を設けて、縦高さ６００ｍｍ、横幅９００ｍｍである上下摺動式重ね畳み戸は、周囲にレール縦枠を設けて、開口部の縦枠に嵌着させて、図５のＢＷで示すように上下に縦スライドさせることによって幅９００ｍｍの開口部における上部の１／４に重ね畳み戸を収納させて、部屋の窓口にした。【００２４】図２のＡで示すように、厚さ６ｍｍ、高さ１５０ｍｍ、幅９００ｍｍの板材である単型万字模様型細長板戸部の板材は、無垢板であって、表面に木目模様の装飾性を施して、反り、ひび割れの防止の処理を施したものを使用して、長手方向の両端に縦横６ｍｍの角材を取り付けた繋ぎ板部を固着して、単型万字模様型細長板戸部間の密着性を維持しながら上下縦方向スライドを進めて、両端の繋ぎ板部によって各板戸の板材の安定化を維持した。最低部の戸袋板に吊り上げ部を取り付け、吊り上げの最上部にはストッパーで停止できるストッパーで固定して窓出入の安全性を確保した。【００２５】上記に製作した上下摺動式重ね畳み戸は、図６に示すように装飾的小部屋構造体の出入り口になって、入室の場合には吊り上げ具によって一杯に引き上げ、ストッパーで静止させて、入室後にはストッパーを解除して吊り上げ具の解除によって部屋の窓と入口を閉じて内部に居住する。この上下摺動式重ね畳み戸によって装飾的小部屋構造体のデザイン性が一層に向上させた。
【実施例２】
【００２６】実施例１と同様に、図１Ｂに示すように、板枠の囲いの中にある重ね畳み戸において、前記重ね畳み戸は、各連続的板戸部の長手方向の両端に逆方向に繋ぎ板部を設けた単型万字模様型細長板戸部における各繋板部を隣合わせで縦方法に組み合わせできるようになっている連結畳み戸単体１８体を連結したものであり、図２Ｂに示すように前記重ね畳み戸の両縦枠にレール部を設けて、レール部に溝部を４箇所と凸部を３箇所で交互に配置して、レール部の溝部に沿って上下に摺動できるように配置にして、重ね畳み戸を板枠の囲いの上部に吊り上げ具によってスライドして押し上げて開放できるようになっているブラインド式上下摺動式重ね畳み戸で入室口の戸にした。【００２７】図２Ｂに示すように、前記重ね畳み戸は、幅１４０ｍｍの縦枠の囲いの両側板枠に嵌着されて、縦枠の囲いの縦高さ１８００ｍｍ、横幅７００ｍｍであって、重ね畳み戸の一単位である単型万字模様型細長板戸部は、厚さ６ｍｍ、幅１００ｍｍ、長さ７００ｍｍの細長板材で、長手方向の両端に逆方向に縦横６ｍｍの角材を固着した繋ぎ板部を設けて、前記単型万字模様型細長板戸部の連結畳み戸単体１８体を各繋ぎ板部で連結して上下に伸縮スライドできるようにしている連結重ね畳み戸体を形成して、前記連結重ね畳み戸体の先端部で１８体を接着した連結体にした。【００２８】幅１４０ｍｍの両縦枠にレール部は、幅６ｍｍ、高さ１０ｍｍの凸部と幅６ｍｍ、深さ１０ｍｍの溝部を交互に併設して溝部を４箇所、凸部を３箇所になって、単型万字模様型細長板戸部で溝部に篏合させている単型万字模様型細長板戸部と凸部で篏合する各繋ぎ板部の接合端部となり、幅１４０ｍｍの両縦枠にレール部では、両端に凸部にして交互に幅６ｍｍの凸部と幅６ｍｍの溝部との併設にした。【００２９】図３のＡＤ，ＢＤ，ＣＤで示すように、幅１４０ｍｍの両縦枠にレール部を設けて、縦高さ１８００ｍｍ、横幅７００ｍｍである上下摺動式重ね畳み戸は、周囲に縦枠を設けて、開口部の縦枠に嵌着させて、上下に縦スライドさせることによって幅７００ｍｍの開口部における上部の１／３に重ね畳み戸を収納させた。【００３０】図３に示すように、厚さ６ｍｍ、高さ１００ｍｍ、幅７００ｍｍの板材である単型万字模様型細長板戸部の板材は、無垢板であって、表面に木目模様の装飾性を施して、反り、ひび割れの防止の処理を施したものを使用して、長手方向の両端に縦横６ｍｍの角材を取り付けた繋ぎ板部を固着して、単型万字模様型細長板戸部間の密着性を維持しながら上下縦方向スライドを進めて、両端の繋ぎ板部によって各板戸の板材の安定化を維持した。ストッパーで固定して出入口の安全性を確保した。【００３１】図６に示すように、上記に製作した上下摺動式重ね畳み戸は、装飾的小部屋構造体の出入り口になって、入室の場合には吊り上げ具によって一杯に引き上げ、ストッパーで静止させて、入室後にはストッパーを解除して吊り上げ具の解除によって部屋の入口を閉じて内部に居住する。この上下摺動式重ね畳み戸によって装飾的小部屋構造体のデザイン性が一層に向上した。
【実施例３】
【００３２】実施例１と同様に板枠の囲いの中にある重ね畳み戸において、前記重ね畳み戸は、各連続的板戸部の長手方向の両端に逆方向に繋ぎ板部を設けた単型万字模様型細長板戸部における各繋板部を隣合わせで組み合わせできるようになっている連結畳み戸単体１０体を連結したものであり、前記重ね畳み戸の両縦枠にレール部を設けて、レール部に溝部を１０箇所と凸部を９箇所で交互に配置して、レール部の溝部に沿って上下に摺動できるように配置にして、重ね畳み戸を板枠の囲いの上部にスライドして押し上げて開放できるようになっているブラインド式重ね畳み戸であった。【００３３】前記重ね畳み戸は、幅１４０ｍｍの縦枠の囲いの両側板枠に嵌着されて、縦枠の囲いの縦高さ２０００ｍｍ、横幅９００ｍｍであって、重ね畳み戸の一単位である単型万字模様型細長板戸部は、厚さ１０ｍｍ、幅２００ｍｍ、長さ９００ｍｍの細長板材で、長手方向の両端に逆方向に縦横１０ｍｍの角材を固着した繋ぎ板部を設けて、前記単型万字模様型細長板戸部の連結畳み戸単体１０体を各繋ぎ板部で連結して上下に伸縮スライドできるようにしている連結重ね畳み戸体を形成して、前記連結重ね畳み戸体の先端部で１０体を接着した連結体の出入口の戸にした。【００３４】幅１４０ｍｍの両縦枠にレール部は、幅１０ｍｍ、高さ１０ｍｍの凸部と幅１０ｍｍ、深さ１５ｍｍの溝部を交互に併設して溝部を５箇所、凸部を４箇所になって、単型万字模様型細長板戸部で溝部に篏合させている単型万字模様型細長板戸部と凸部で篏合する各繋ぎ板部の接合端部となり、幅１４０ｍｍの両縦枠にレール部では、両端に凸部にして交互に幅１０ｍｍの凸部と幅１０ｍｍの溝部との併設になった。【００３５】幅１４０ｍｍの両縦枠にレール部を設けて、縦高さ２０００ｍｍ、横幅９００ｍｍである重ね畳み戸は、周囲に縦枠を設けて、開口部の縦枠に嵌着させて、上下に縦スライドさせることによって幅９００ｍｍの開口部における上部の１／４に重ね畳み戸を収納させる。【００３６】厚さ１０ｍｍ、高さ２００ｍｍ、幅９００ｍｍの板材である単型万字模様型細長板戸部の板材は、無垢板であって、表面に木目模様の装飾性を施して、反り、ひび割れの防止の処理を施したものを使用して、長手方向の両端に縦横１０ｍｍの角材を取り付けた繋ぎ板部を固着して、単型万字模様型細長板戸部間の密着性を維持しながら上下縦方向スライドを進めて、両端の繋ぎ板部によって各板戸の板材の安定化を維持した。
【符号の説明】
【００３７】１  重ね畳み戸
２  鴨居部
３  敷居部
４  単型万字模様型短板戸部
５  繋ぎ板部
６  吊り上げ部
７  溝部
８  凸部
９  先端部
１０  角材
１１  戸袋板
１２  ストッパー
１３  レール
１４  縦枠
１５  鴨居
１６  敷居
【図１】
0003219864.tif 000003
【図２】
0003219864.tif 000004
【図３】
0003219864.tif 000005
【図４】
0003219864.tif 000006
【図５】
0003219864.tif 000007
【図６】
0003219864.tif 000008